(57)【要約】【課題】  各医療機関の医用画像制御システムの構成を大幅に変更することなく、複数の医療機関で医用画像データを容易に交換することができる医用画像交換システムを提供する。【解決手段】  医用画像データを２段階で転送する２段階転送方式を採用する。医用画像データの流れは、画像中継票に基づいて制御する。第１段階では、送信側医療機関の中継サーバがＰＡＣＳから医用画像データを取得して画像中継サーバに送信し、画像中継サーバが自己の記憶装置に記録する。第２段階では、受信側医療機関の中継サーバが画像中継サーバから医用画像データを受信し、受信側医療機関の中継サーバが自己の記憶装置に記録する。そして、受信側医療機関の院内端末からＰＡＣＳへの取込オーダを発行し、医用画像データの参照が可能となる。【選択図】  図１
2014071881.tif 000002
【特許請求の範囲】
【請求項１】
医療機関で利用される第１医用画像送信システムを１又は複数と、医療機関で利用される第２医用画像送信システムを１又は複数と、画像中継サーバと、医療機関で利用される第１医用画像受信システムを１又は複数と、医療機関で利用される第２医用画像受信システムを１又は複数と、医療機関で利用される第３医用画像受信システムを１又は複数とを通信可能に接続し、複数の医療機関で医用画像データを交換する医用画像交換システムであって、
前記第１医用画像送信システムは、院内端末、中継サーバ、医用画像表示端末及び院内情報システムを備え、
前記院内情報システムは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票を前記中継サーバに送信する第１画像中継票送信手段とを有し、
前記中継サーバは、前記画像中継票を受信する第１画像中継票受信手段と、前記第１画像中継票受信手段で受信した画像中継票を前記画像中継サーバに送信する第２画像中継票送信手段とを有し、
前記画像中継サーバは、前記画像中継票を受信する第２画像中継票受信手段と、前記第２画像中継票受信手段で受信した画像中継票に基づいて、前記医用画像データの取得要求を前記中継サーバに送信する第１取得要求送信手段とを備え、
前記中継サーバは、さらに、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第２医用画像送信システムは、院内端末、中継サーバ及び医用画像表示端末を備え、
前記画像中継サーバは、さらに、前記第１医用画像送信システムにおける前記送信先入力手段、前記医用画像データ選択手段及び前記画像中継票生成手段と同一の手段と、前記画像中継票生成手段で生成した画像中継票に基づいて、前記医用画像データの取得要求を前記中継サーバに送信する第２取得要求送信手段とを備え、
前記中継サーバは、前記第１医用画像送信システムにおける前記医用画像データ取得手段及び前記第１医用画像データ送信手段と同一の手段を有し、
前記第１医用画像受信システムは、院内端末、中継サーバ、医用画像表示端末及び院内情報システムを備え、
前記画像中継サーバは、さらに、前記第２画像中継票受信手段で受信し又は前記画像中継票生成手段で生成した画像中継票に基づいて、前記医用画像データを前記中継サーバに送信する第２医用画像データ送信手段を備え、
前記中継サーバは、前記画像中継サーバにおける前記医用画像データベース、前記医用画像データ受信手段及び前記医用画像データ記録手段と同一の手段を有し、
前記画像中継サーバは、さらに、前記第２画像中継票受信手段で受信し又は前記画像中継票生成手段で生成した画像中継票に基づいて、当該画像中継票を前記中継サーバに送信する第３画像中継票送信手段を備え、
前記中継サーバは、さらに、前記画像中継票を受信する第３画像中継票受信手段を有し、
前記院内情報システムは、前記院内端末からの要求に応じて、前記画像中継票を前記中継サーバから取得する画像中継票取得手段と、前記院内端末からの要求に応じて、前記画像中継票取得手段で取得した画像中継票に基づいて、前記医用画像データの取込要求を前記中継サーバに送信する第１取込要求送信手段とを有し、
前記中継サーバは、さらに、前記取込要求に応じて、前記医用画像データベースの医用画像データを前記医用画像表示端末に送信する第３医用画像データ送信手段を有し、
前記第２医用画像受信システムは、院内端末、中継サーバ及び医用画像表示端末を備え、
前記中継サーバは、前記画像中継サーバにおける前記医用画像データベース、前記医用画像データ受信手段及び前記医用画像データ記録手段並びに前記第１医用画像受信システムにおける前記第３医用画像データ送信手段と同一の手段を有し、
前記画像中継サーバは、さらに、前記院内端末からの要求に応じて、前記第２画像中継票受信手段で受信し又は前記画像中継票生成手段で生成した画像中継票に基づいて、前記医用画像データの取込要求を前記中継サーバに送信する第２取込要求送信手段を備え、
前記第３医用画像受信システムは、院内端末を備え、
前記画像中継サーバは、さらに、前記院内端末からの要求に応じて、前記第２画像中継票受信手段で受信し又は前記画像中継票生成手段で生成した画像中継票に基づいて、前記医用画像データベースの医用画像データを前記院内端末に送信する第４医用画像データ送信手段を備えることを特徴とする医用画像交換システム。
【請求項２】
請求項１において、
前記第１医用画像送信システムにおける前記医用画像表示端末は、前記第１医用画像送信システムを利用する医療機関に固有の前記患者識別情報を含む医用画像データを有し、
前記第１医用画像送信システムにおける前記中継サーバは、さらに、前記患者ごとに、医療機関に依存しない共通の前記患者識別情報及び前記第１医用画像送信システムを利用する医療機関に固有の前記患者識別情報を対応づけて記憶する第１患者識別情報データベースと、前記第１患者識別情報データベースに基づいて、前記医用画像データ取得手段で取得した医用画像データに含まれる前記固有の患者識別情報を前記共通の患者識別情報に変換する第１患者識別情報変換手段とを有し、
前記第１医用画像受信システムにおける前記中継サーバは、さらに、前記患者ごとに、前記共通の患者識別情報及び前記第１医用画像受信システムを利用する医療機関に固有の前記患者識別情報を対応づけて記憶する第２患者識別情報データベースと、前記第２患者識別情報データベースに基づいて、前記医用画像データ受信手段で受信した医用画像データに含まれる前記共通の患者識別情報を前記固有の患者識別情報に変換する第２患者識別情報変換手段とを有することを特徴とする医用画像交換システム。
【請求項３】
請求項１及び２のいずれか１項に記載の医用画像交換システムにおける前記画像中継サーバであることを特徴とする画像中継サーバ。
【発明の詳細な説明】
【技術分野】
【０００１】
本発明は、複数の医療機関で医用画像データを交換するシステム及びサーバに係り、特に、各医療機関の医用画像制御システムの構成を大幅に変更することなく、複数の医療機関で医用画像データを容易に交換することができる医用画像交換システム及び画像中継サーバに関する。
【背景技術】
【０００２】
複数の医療機関で医用画像データを交換する技術としては、医用画像のセンター機能を保有する１つの医療機関が核となり、複数の医療機関との間で医用画像データを交換（送受信・転送）する仕組みが知られている（例えば特許文献１）。１：Ｎのデータ交換である。
【先行技術文献】
【特許文献】
【０００３】
【特許文献１】特開２０１０−１３４５４０公報
【発明の概要】
【発明が解決しようとする課題】
【０００４】
これに対し、行政の単位又は生活圏の単位である１つの地域においては、複数の医療機関が相互に医用画像データを交換する仕組み求められている。Ｎ：Ｎのデータ交換である。
【０００５】
しかしながら、複数の医療機関で医用画像データを交換する場合、各医療機関の医用画像制御システム（ＰＡＣＳ（Picture Archiving and Communication Systems）：医用画像管理システムやＨＩＳ（Hospital Information System）：電子カルテシステム）の導入状況に応じて画像中継システムを構築する必要があり、複雑な仕組みとなる。故に、改修費用が高額となる。
【０００６】
そこで、本発明は、このような従来の技術の有する未解決の課題に着目してなされたものであって、各医療機関の医用画像制御システムの構成を大幅に変更することなく、複数の医療機関で医用画像データを容易に交換することができる医用画像交換システム及び画像中継サーバを提供することを目的としている。
【課題を解決するための手段】
【０００７】
〔発明１〕
上記目的を達成するために、発明１の医用画像交換システムは、医療機関で利用される第１医用画像送信システムを１又は複数と、医療機関で利用される第２医用画像送信システムを１又は複数と、画像中継サーバと、医療機関で利用される第１医用画像受信システムを１又は複数と、医療機関で利用される第２医用画像受信システムを１又は複数と、医療機関で利用される第３医用画像受信システムを１又は複数とを通信可能に接続し、複数の医療機関で医用画像データを交換する医用画像交換システムであって、前記第１医用画像送信システムは、院内端末、中継サーバ、医用画像表示端末及び院内情報システムを備え、前記院内情報システムは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票を前記中継サーバに送信する第１画像中継票送信手段とを有し、前記中継サーバは、前記画像中継票を受信する第１画像中継票受信手段と、前記第１画像中継票受信手段で受信した画像中継票を前記画像中継サーバに送信する第２画像中継票送信手段とを有し、前記画像中継サーバは、前記画像中継票を受信する第２画像中継票受信手段と、前記第２画像中継票受信手段で受信した画像中継票に基づいて、前記医用画像データの取得要求を前記中継サーバに送信する第１取得要求送信手段とを備え、前記中継サーバは、さらに、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、前記第２医用画像送信システムは、院内端末、中継サーバ及び医用画像表示端末を備え、前記画像中継サーバは、さらに、前記第１医用画像送信システムにおける前記送信先入力手段、前記医用画像データ選択手段及び前記画像中継票生成手段と同一の手段と、前記画像中継票生成手段で生成した画像中継票に基づいて、前記医用画像データの取得要求を前記中継サーバに送信する第２取得要求送信手段とを備え、前記中継サーバは、前記第１医用画像送信システムにおける前記医用画像データ取得手段及び前記第１医用画像データ送信手段と同一の手段を有し、前記第１医用画像受信システムは、院内端末、中継サーバ、医用画像表示端末及び院内情報システムを備え、前記画像中継サーバは、さらに、前記第２画像中継票受信手段で受信し又は前記画像中継票生成手段で生成した画像中継票に基づいて、前記医用画像データを前記中継サーバに送信する第２医用画像データ送信手段を備え、前記中継サーバは、前記画像中継サーバにおける前記医用画像データベース、前記医用画像データ受信手段及び前記医用画像データ記録手段と同一の手段を有し、前記画像中継サーバは、さらに、前記第２画像中継票受信手段で受信し又は前記画像中継票生成手段で生成した画像中継票に基づいて、当該画像中継票を前記中継サーバに送信する第３画像中継票送信手段を備え、前記中継サーバは、さらに、前記画像中継票を受信する第３画像中継票受信手段を有し、前記院内情報システムは、前記院内端末からの要求に応じて、前記画像中継票を前記中継サーバから取得する画像中継票取得手段と、前記院内端末からの要求に応じて、前記画像中継票取得手段で取得した画像中継票に基づいて、前記医用画像データの取込要求を前記中継サーバに送信する第１取込要求送信手段とを有し、前記中継サーバは、さらに、前記取込要求に応じて、前記医用画像データベースの医用画像データを前記医用画像表示端末に送信する第３医用画像データ送信手段を有し、前記第２医用画像受信システムは、院内端末、中継サーバ及び医用画像表示端末を備え、前記中継サーバは、前記画像中継サーバにおける前記医用画像データベース、前記医用画像データ受信手段及び前記医用画像データ記録手段並びに前記第１医用画像受信システムにおける前記第３医用画像データ送信手段と同一の手段を有し、前記画像中継サーバは、さらに、前記院内端末からの要求に応じて、前記第２画像中継票受信手段で受信し又は前記画像中継票生成手段で生成した画像中継票に基づいて、前記医用画像データの取込要求を前記中継サーバに送信する第２取込要求送信手段を備え、前記第３医用画像受信システムは、院内端末を備え、前記画像中継サーバは、さらに、前記院内端末からの要求に応じて、前記第２画像中継票受信手段で受信し又は前記画像中継票生成手段で生成した画像中継票に基づいて、前記医用画像データベースの医用画像データを前記院内端末に送信する第４医用画像データ送信手段を備える。
このような構成であれば、次のような作用が得られる。
【０００８】
〔第１医用画像送信システムによる送信〕
第１医用画像送信システムが通信可能に接続された場合、第１医用画像送信システムによる送信は、次のように行われる。
【０００９】
院内情報システムでは、送信先入力手段により、院内端末からの要求に応じて医用画像データの送信先が入力され、医用画像データ選択手段により、院内端末からの要求に応じて医用画像データの中からいずれかが選択される。そして、画像中継票生成手段により、入力された送信先の中継情報及び選択された医用画像データの画像識別情報を含む画像中継票が生成され、第１画像中継票送信手段により、生成された画像中継票が中継サーバに送信される。
【００１０】
中継サーバでは、第１画像中継票受信手段により画像中継票を受信すると、第２画像中継票送信手段により、受信した画像中継票が画像中継サーバに送信される。
【００１１】
画像中継サーバでは、第２画像中継票受信手段により画像中継票を受信すると、第１取得要求送信手段により、受信した画像中継票に基づいて医用画像データの取得要求が中継サーバに送信される。
【００１２】
中継サーバでは、医用画像データ取得手段により、取得要求に応じて医用画像データが医用画像表示端末から取得され、第１医用画像データ送信手段により、取得された医用画像データが画像中継サーバに送信される。
【００１３】
画像中継サーバでは、医用画像データ受信手段により医用画像データを受信すると、医用画像データ記録手段により、受信した医用画像データが医用画像データベースに記録される。
【００１４】
〔第２医用画像送信システムによる送信〕
第２医用画像送信システムが通信可能に接続された場合、第２医用画像送信システムによる送信は、次のように行われる。
【００１５】
画像中継サーバでは、送信先入力手段により、院内端末からの要求に応じて医用画像データの送信先が入力され、医用画像データ選択手段により、院内端末からの要求に応じて医用画像データの中からいずれかが選択される。そして、画像中継票生成手段により、入力された送信先の中継情報及び選択された医用画像データの画像識別情報を含む画像中継票が生成され、第２取得要求送信手段により、生成された画像中継票に基づいて医用画像データの取得要求が中継サーバに送信される。
【００１６】
中継サーバでは、医用画像データ取得手段により、取得要求に応じて医用画像データが医用画像表示端末から取得され、第１医用画像データ送信手段により、取得された医用画像データが画像中継サーバに送信される。
【００１７】
画像中継サーバでは、医用画像データ受信手段により医用画像データを受信すると、医用画像データ記録手段により、受信した医用画像データが医用画像データベースに記録される。
【００１８】
〔第１医用画像受信システムによる受信〕
第１医用画像受信システムが通信可能に接続された場合、第１医用画像受信システムによる受信は、次のように行われる。
【００１９】
画像中継サーバでは、第２医用画像データ送信手段により、受信・生成された画像中継票に基づいて、医用画像データベースに記録されている医用画像データが中継サーバに送信される。
【００２０】
中継サーバでは、医用画像データ受信手段により医用画像データを受信すると、医用画像データ記録手段により、受信した医用画像データが医用画像データベースに記録される。
【００２１】
また、画像中継サーバでは、第３画像中継票送信手段により、受信・生成された画像中継票に基づいてその画像中継票が中継サーバに送信される。
【００２２】
中継サーバでは、第３画像中継票受信手段により画像中継票を受信する。
院内情報システムでは、画像中継票取得手段により、院内端末からの要求に応じて画像中継票が中継サーバから取得され、第１取込要求送信手段により、院内端末からの要求に応じて、取得された画像中継票に基づいて医用画像データの取込要求が中継サーバに送信される。
【００２３】
中継サーバでは、第３医用画像データ送信手段により、取込要求に応じて、医用画像データベースに記録されている医用画像データが医用画像表示端末に送信される。
【００２４】
医用画像表示端末では、医用画像データを受信すると、受信した医用画像データに基づいて医用画像を表示することができる。
【００２５】
〔第２医用画像受信システムによる受信〕
第２医用画像受信システムが通信可能に接続された場合、第２医用画像受信システムによる受信は、次のように行われる。
【００２６】
画像中継サーバでは、第２医用画像データ送信手段により、受信・生成された画像中継票に基づいて、医用画像データベースに記録されている医用画像データが中継サーバに送信される。
【００２７】
中継サーバでは、医用画像データ受信手段により医用画像データを受信すると、医用画像データ記録手段により、受信した医用画像データが医用画像データベースに記録される。
【００２８】
また、画像中継サーバでは、第２取込要求送信手段により、院内端末からの要求に応じて、受信・生成された画像中継票に基づいて医用画像データの取込要求が中継サーバに送信される。
【００２９】
中継サーバでは、第３医用画像データ送信手段により、取込要求に応じて、医用画像データベースに記録されている医用画像データが医用画像表示端末に送信される。
【００３０】
医用画像表示端末では、医用画像データを受信すると、受信した医用画像データに基づいて医用画像を表示することができる。
【００３１】
〔第３医用画像受信システムによる受信〕
第３医用画像受信システムが通信可能に接続された場合、第３医用画像受信システムによる受信は、次のように行われる。
【００３２】
画像中継サーバは、第４医用画像データ送信手段により、院内端末からの要求に応じて、受信・生成された画像中継票に基づいて、医用画像データベースに記録されている医用画像データが院内端末に送信される。
【００３３】
院内端末では、医用画像データを受信すると、受信した医用画像データに基づいて医用画像を表示することができる。
【００３４】
〔発明２〕
さらに、発明２の医用画像交換システムは、発明１の医用画像交換システムにおいて、前記第１医用画像送信システムにおける前記医用画像表示端末は、前記第１医用画像送信システムを利用する医療機関に固有の前記患者識別情報を含む医用画像データを有し、前記第１医用画像送信システムにおける前記中継サーバは、さらに、前記患者ごとに、医療機関に依存しない共通の前記患者識別情報及び前記第１医用画像送信システムを利用する医療機関に固有の前記患者識別情報を対応づけて記憶する第１患者識別情報データベースと、前記第１患者識別情報データベースに基づいて、前記医用画像データ取得手段で取得した医用画像データに含まれる前記固有の患者識別情報を前記共通の患者識別情報に変換する第１患者識別情報変換手段とを有し、前記第１医用画像受信システムにおける前記中継サーバは、さらに、前記患者ごとに、前記共通の患者識別情報及び前記第１医用画像受信システムを利用する医療機関に固有の前記患者識別情報を対応づけて記憶する第２患者識別情報データベースと、前記第２患者識別情報データベースに基づいて、前記医用画像データ受信手段で受信した医用画像データに含まれる前記共通の患者識別情報を前記固有の患者識別情報に変換する第２患者識別情報変換手段とを有する。
【００３５】
このような構成であれば、次のような作用が得られる。
〔第１医用画像送信システムによる送信〕
第１医用画像送信システムが通信可能に接続された場合、第１医用画像送信システムによる送信は、次のように行われる。
【００３６】
中継サーバでは、医用画像データ取得手段により医用画像データが取得されると、第１患者識別情報変換手段により、第１患者識別情報データベースに基づいて、取得された医用画像データに含まれる固有の患者識別情報が共通の患者識別情報に変換され、第１医用画像データ送信手段により、変換が行われた医用画像データが画像中継サーバに送信される。
【００３７】
〔第１医用画像受信システムによる受信〕
第１医用画像受信システムが通信可能に接続された場合、第１医用画像受信システムによる受信は、次のように行われる。
【００３８】
中継サーバでは、医用画像データ受信手段により医用画像データを受信すると、第２患者識別情報変換手段により、第２患者識別情報データベースに基づいて、受信した医用画像データに含まれる共通の患者識別情報が固有の患者識別情報に変換され、医用画像データ記録手段により、変換が行われた医用画像データが医用画像データベースに記録される。
【００３９】
〔発明３〕
一方、上記目的を達成するために、発明３の画像中継サーバは、発明１及び２のいずれか１の医用画像交換システムにおける前記画像中継サーバである。
【００４０】
このような構成であれば、発明１及び２のいずれか１の医用画像交換システムと同等の作用が得られる。
【発明の効果】
【００４１】
以上説明したように、発明１の医用画像交換システムによれば、多くとも医療機関に中継サーバを設置するだけですみ、また、画像中継票に基づいて医用画像データの流れが制御されるので、従来に比して、各医療機関の医用画像制御システムの構成を大幅に変更することなく、複数の医療機関で医用画像データを比較的容易に交換することができる。
【００４２】
さらに、発明２の医用画像交換システムによれば、各医療機関が利用しやすい固有の患者識別情報で医用画像データを取り扱うことが可能となり、医用画像データの取り違えなどの医療ミスが発生する可能性を低減することができる。
【００４３】
一方、発明３の画像中継サーバによれば、発明１及び２のいずれか１の医用画像交換システムと同等の効果が得られる。
【図面の簡単な説明】
【００４４】
【図１】本実施の形態に係る医用画像交換システムの全体構成の概要を示す図である。
【図２】画像中継票のデータ構造を示す図である。
【図３】医用画像送信システム１００ａと画像中継サーバ２００との間で実行される医用画像データ送信処理を示すシーケンスである。
【図４】医用画像送信システム１００ｂと画像中継サーバ２００との間で実行される医用画像データ送信処理を示すシーケンスである。
【図５】画像中継サーバ２００と医用画像受信システム１００ｃとの間で実行される医用画像データ受信処理を示すシーケンスである。
【図６】画像中継サーバ２００と医用画像受信システム１００ｄとの間で実行される医用画像データ受信処理を示すシーケンスである。
【図７】画像中継サーバ２００と医用画像受信システム１００ｅとの間で実行される医用画像データ受信処理を示すシーケンスである。
【図８】医用画像の送信画面である。
【図９】医用画像の受信画面である。
【図１０】読影依頼を行う送信画面である。
【図１１】読影依頼を受ける受信画面である。
【図１２】患者ＩＤの変換規則を示す表である。
【発明を実施するための形態】
【００４５】
以下、本発明の実施の形態を説明する。
まず、本実施の形態に係る医用画像交換システムの構成を説明する。
【００４６】
図１は、本実施の形態に係る医用画像交換システムの全体構成の概要を示す図である。
行政の単位又は生活圏の単位である１つの地域において、図１に示すように、例えば、７つの医療機関Ａ〜Ｇが存在するものとし、医療画像交換システムは、医療機関Ａ〜Ｇで医用画像データを相互に交換することを目的としている。
【００４７】
医療機関Ａには医用画像送信システム１００ａが、医療機関Ｂには医用画像送信システム１００ｂが、医療機関Ｃには医用画像受信システム１００ｃが、医療機関Ｄには医用画像受信システム１００ｄが、医療機関Ｅには医用画像受信システム１００ｅが、医療機関Ｆには医用画像送信システム１００ｆが、医療機関Ｇには医用画像受信システム１００ｇがそれぞれ設置されている。
【００４８】
データセンタには、画像中継サーバ２００と、共用中継サーバ２０４とが設置されている。共用中継サーバ２０４は、ＬＡＮ等のネットワークで画像中継サーバ２００に接続されている。
【００４９】
医用画像送信システム１００ａは、院内端末１０２ａ、中継サーバ１０４ａ、ＰＡＣＳ１０６ａ及びＨＩＳ１０８ａを備える。院内端末１０２ａはＨＩＳ１０８ａに、ＰＡＣＳ１０６ａ及びＨＩＳ１０８ａは中継サーバ１０４ａにそれぞれＬＡＮ等のネットワークを介して接続されている。
【００５０】
医用画像送信システム１００ｂは、院内端末１０２ｂ、中継サーバ１０４ｂ及びＰＡＣＳ１０６ｂを備える。院内端末１０２ｂ及びＰＡＣＳ１０６ｂは、ＬＡＮ等のネットワークを介して中継サーバ１０４ｂに接続されている。
【００５１】
医用画像受信システム１００ｃは、院内端末１０２ｃ、中継サーバ１０４ｃ、ＰＡＣＳ１０６ｃ及びＨＩＳ１０８ｃを備える。院内端末１０２ｃはＨＩＳ１０８ｃに、ＰＡＣＳ１０６ｃ及びＨＩＳ１０８ｃは中継サーバ１０４ｃにそれぞれＬＡＮ等のネットワークを介して接続されている。
【００５２】
医用画像受信システム１００ｄは、院内端末１０２ｄ、中継サーバ１０４ｄ及びＰＡＣＳ１０６ｄを備える。院内端末１０２ｄ及びＰＡＣＳ１０６ｄは、ＬＡＮ等のネットワークを介して中継サーバ１０４ｄに接続されている。
【００５３】
医用画像受信システム１００ｅは院内端末１０２ｅを、医用画像送信システム１００ｆは院内端末１０２ｆ及びＰＡＣＳ１０６ｆを、医用画像受信システム１００ｇは院内端末１０２ｇ及びＰＡＣＳ１０６ｇをそれぞれ備える。
【００５４】
中継サーバ１０４ａ、１０４ｂ、１０４ｃ、１０４ｄ及び院内端末１０２ｅ、１０２ｆ、１０２ｇは、ＶＰＮ等のネットワークを介して画像中継サーバ２００に接続されている。ＰＡＣＳ１０６ｆ、１０６ｇは、ＶＰＮ等のネットワークを介して共用中継サーバ２０４に接続されている。
【００５５】
共用中継サーバ２０４は、医用画像送信システム１００ｆ及び医用画像受信システム１００ｇが共用で利用する中継サーバであって、中継サーバ１０４ｂ、１０４ｄと同等の機能を備える。すなわち、医用画像送信システム１００ｆは、共用中継サーバ２０４を利用することにより医用画像送信システム１００ｂと同等の機能を実現する。医用画像受信システム１００ｇも同様に、共用中継サーバ２０４を利用することにより医用画像受信システム１００ｄと同等の機能を実現する。これにより、システム導入コストや運用コストを削減することができる。なお、医用画像送信システム１００ｆ、医用画像受信システム１００ｇ及び共用中継サーバ２０４については、医用画像送信システム１００ｂ及び医用画像受信システム１００ｄの説明に代え、詳細な説明は省略する。
【００５６】
院内端末１０２ａは、例えば、ＣＰＵ（Central Processing Unit）、ＲＯＭ（Read Only Memory）、ＲＡＭ（Random Access Memory）及びＩ／Ｆ等をバス接続した一般的なコンピュータと同一機能を有して構成されている。Ｉ／Ｆには、ＨＤＤ等の記憶装置、ディスプレイ等の表示装置及びネットワークケーブルが接続されている。なお、院内端末１０２ｂ〜１０２ｇのハードウェア構成は、院内端末１０２ａと同一である。
【００５７】
中継サーバ１０４ａは、例えば、ＣＰＵ、ＲＯＭ、ＲＡＭ及びＩ／Ｆ等をバス接続した一般的なコンピュータと同一機能を有して構成されている。Ｉ／Ｆには、ＨＤＤ等の記憶装置、ディスプレイ等の表示装置及びネットワークケーブルが接続されている。なお、中継サーバ１０４ｂ〜１０４ｄのハードウェア構成は、中継サーバ１０４ａと同一である。
【００５８】
ＰＡＣＳ１０６ａは、例えば、ＣＰＵ、ＲＯＭ、ＲＡＭ及びＩ／Ｆ等をバス接続した一般的なコンピュータと同一機能を有して構成されている。Ｉ／Ｆには、ＨＤＤ等の記憶装置、ディスプレイ等の表示装置及びネットワークケーブルが接続されている。なお、ＰＡＣＳ１０６ｂ〜１０６ｄ、１０６ｆ、１０６ｇのハードウェア構成は、ＰＡＣＳ１０６ａと同一である。
【００５９】
ＨＩＳ１０８ａは、例えば、ＣＰＵ、ＲＯＭ、ＲＡＭ及びＩ／Ｆ等をバス接続した一般的なコンピュータと同一機能を有して構成されている。Ｉ／Ｆには、ＨＤＤ等の記憶装置、ディスプレイ等の表示装置及びネットワークケーブルが接続されている。なお、ＨＩＳ１０８ｃのハードウェア構成は、ＨＩＳ１０８ａと同一である。
【００６０】
画像中継サーバ２００は、例えば、ＣＰＵ、ＲＯＭ、ＲＡＭ及びＩ／Ｆ等をバス接続した一般的なコンピュータと同一機能を有して構成されている。Ｉ／Ｆには、ＨＤＤ等の記憶装置、ディスプレイ等の表示装置及びネットワークケーブルが接続されている。
【００６１】
本実施の形態では、２段階転送方式を採用する。送信側医療機関と受信側医療機関との間にデータセンタを設け、必ずデータセンタを経由して医用画像データを転送する方式とする。送信側医療機関は、医用画像データをデータセンタに送信する。受信側医療機関は、医用画像データをデータセンタから受信する。データ転送は、第１段階で送信側医療機関とデータセンタとの間に設置する「中継サーバ」で行い、第２段階でデータセンタと受信側医療機関との間に設置する「中継サーバ」で行う。医用画像データを２段階で転送することにより実現するものである。第１段階では、送信側医療機関の中継サーバがＰＡＣＳから医用画像データを取得して画像中継サーバ２００に送信し、画像中継サーバ２００が自己の記憶装置に記録する。第２段階では、受信側医療機関の中継サーバが画像中継サーバ２００から医用画像データを受信し、受信側医療機関の中継サーバが自己の記憶装置に記録する。そして、受信側医療機関の院内端末からＰＡＣＳへの取込オーダを発行し、医用画像データの参照が可能となる。これにより、送信側医療機関から受信側医療機関に医用画像データを転送することができる。
【００６２】
次に、医用画像データの流れを制御するための画像中継票のデータ構造を説明する。
画像中継票は、画像中継サーバ２００等が医用画像データの流れを制御するために使用する情報であって、送信側医療機関から受信側医療機関に医用画像データを送り届ける道先案内の役割を果たす。
【００６３】
送信側医療機関で画像中継票を生成し、画像中継サーバ２００に送信する。画像中継サーバ２００では、画像中継票に基づいて送信側医療機関の中継サーバに医用画像データの送信要求を行う。医用画像データが画像中継サーバまで届いたら、次に、受信側医療機関の中継サーバに医用画像データの受信要求を行う。そして、受信側医療機関の院内端末からＰＡＣＳへの取込オーダを発行し、医用画像データの参照が可能となる。これにより、送信側医療機関から受信側医療機関に医用画像データを転送することができる。受信側医療機関に医用画像データが届いたら、受信側医療機関から画像中継票が届いた状態となり、医用画像データを参照できるようになる。
【００６４】
図２は、画像中継票のデータ構造を示す図である。
画像中継票は、図２に示すように、共通項目に関する情報と、個別項目に関する情報と、医用画像データを識別するための画像識別情報を含む。例えば、ＸＭＬ（eXtensible Markup Language）で記述することができる。
【００６５】
共通項目に関する情報は、送信日時、送信目的、患者に関する患者情報、医用画像データの送信先の医療機関に関する医療機関情報、医用画像データの送信元の医療機関に関する医療機関情報等を含む。患者情報は、患者を識別するための患者ＩＤを含む。送信目的としては、例えば、他の医療機関への患者の紹介、他の医療機関への医用画像の送付、他の医療機関に対する読影依頼等を設定することができる。
【００６６】
個別項目に関する情報は、例えば、緊急度、検査部位、送信コメント題名、送信コメント本分等を含む。
【００６７】
画像中継票は、ＸＳＬ（eXtensible Stylesheet Language）によって任意の形式のＨＴＭＬ（HyperText Markup Language）データに変換することができ、院内端末等では、変換されたＨＴＭＬデータに基づいてレポート画面等を表示することができる。また、院内端末等では、ＤＩＣＯＭ（Digital Imaging and COmmunication in Medicine）ビューワ等により、画像中継票に関連づけられている医用画像データに基づいて医用画像を表示することができる。
【００６８】
次に、本実施の形態の動作を説明する。
〔医用画像送信システム１００ａによる送信〕
初めに、医用画像送信システム１００ａによる送信の動作を説明する。
【００６９】
図３は、医用画像送信システム１００ａと画像中継サーバ２００との間で実行される医用画像データ送信処理を示すシーケンスである。
【００７０】
ＨＩＳ１０８ａでは、図３に示すように、ステップＳ１００を経て、院内端末１０２ａからの要求に応じて医用画像データの送信先が入力され、ステップＳ１０２を経て、院内端末１０２ａからの要求に応じて医用画像データの中からいずれかが選択される。送信先の入力及び医用画像の選択は、院内端末１０２ａの表示画面において、医療機関Ａに属する医師等が行う。そして、ステップＳ１０４を経て、入力された送信先の医療機関情報及び選択された医用画像データの画像識別情報を含む画像中継票が生成され、ステップＳ１０６を経て、生成された画像中継票が中継サーバ１０４ａに送信される。
【００７１】
中継サーバ１０４ａでは、ステップＳ１０８を経て画像中継票を受信すると、ステップＳ１１０を経て、受信した画像中継票が画像中継サーバ２００に送信される。
【００７２】
画像中継サーバ２００では、ステップＳ１１２を経て画像中継票を受信すると、ステップＳ１１４を経て、受信した画像中継票に基づいて医用画像データの取得要求が中継サーバ１０４ａに送信される。
【００７３】
中継サーバ１０４ａでは、ステップＳ１１６を経て、取得要求に応じて医用画像データがＰＡＣＳ１０６ａから取得され、ステップＳ１１８を経て、取得された医用画像データが画像中継サーバ２００に送信される。
【００７４】
画像中継サーバ２００では、ステップＳ１２０を経て医用画像データを受信すると、ステップＳ１２２を経て、受信した医用画像データが記憶装置に記録される。
【００７５】
〔医用画像送信システム１００ｂによる送信〕
次に、医用画像送信システム１００ｂによる送信の動作を説明する。
【００７６】
図４は、医用画像送信システム１００ｂと画像中継サーバ２００との間で実行される医用画像データ送信処理を示すシーケンスである。
【００７７】
画像中継サーバ２００では、図４に示すように、ステップＳ１３０を経て、院内端末１０２ｂからの要求に応じて医用画像データの送信先が入力され、ステップＳ１３２を経て、院内端末１０２ｂからの要求に応じて医用画像データの中からいずれかが選択される。送信先の入力及び医用画像の選択は、院内端末１０２ｂの表示画面において、医療機関Ｂに属する医師等が行う。そして、ステップＳ１３４を経て、入力された送信先の医療機関情報及び選択された医用画像データの画像識別情報を含む画像中継票が生成され、ステップＳ１３６を経て、生成された画像中継票に基づいて医用画像データの取得要求が中継サーバ１０４ｂに送信される。
【００７８】
中継サーバ１０４ｂでは、ステップＳ１１６を経て、取得要求に応じて医用画像データがＰＡＣＳ１０６ｂから取得され、ステップＳ１１８を経て、取得された医用画像データが画像中継サーバ２００に送信される。
【００７９】
画像中継サーバ２００では、ステップＳ１２０を経て医用画像データを受信すると、ステップＳ１２２を経て、受信した医用画像データが記憶装置に記録される。
【００８０】
〔医用画像受信システム１００ｃによる受信〕
次に、医用画像受信システム１００ｃによる受信の動作を説明する。
【００８１】
図５は、画像中継サーバ２００と医用画像受信システム１００ｃとの間で実行される医用画像データ受信処理を示すシーケンスである。
【００８２】
画像中継サーバ２００では、図５に示すように、ステップＳ２００を経て、受信・生成された画像中継票に基づいて医用画像データが中継サーバ１０４ｃに送信される。
【００８３】
中継サーバ１０４ｃでは、ステップＳ２０２を経て医用画像データを受信すると、ステップＳ２０４を経て、受信した医用画像データが記憶装置に記録される。
【００８４】
また、画像中継サーバ２００では、ステップＳ２０６を経て、受信・生成された画像中継票に基づいてその画像中継票が中継サーバ１０４ｃに送信される。
【００８５】
中継サーバ１０４ｃでは、ステップＳ２０８を経て画像中継票を受信する。
ＨＩＳ１０８ｃでは、ステップＳ２１０を経て、院内端末１０２ｃからの要求に応じて、中継サーバ１０４ｃから画像中継票が取得され、ステップＳ２１４を経て、院内端末１０２ｃからの取込オーダに応じて、取得された画像中継票に基づいて医用画像データの取込要求が中継サーバ１０４ｃに送信される。医用画像の取込オーダは、院内端末１０２ｃの表示画面において、医療機関Ｃに属する医師等が行う。
【００８６】
中継サーバ１０４ｃでは、ステップＳ２１６を経て、取込要求に応じて医用画像データがＰＡＣＳ１０６ｃに送信される。
【００８７】
ＰＡＣＳ１０６ｃでは、医用画像データを受信すると、受信した医用画像データに基づいて医用画像が表示される。
【００８８】
〔医用画像受信システム１００ｄによる受信〕
次に、医用画像受信システム１００ｄによる受信の動作を説明する。
【００８９】
図６は、画像中継サーバ２００と医用画像受信システム１００ｄとの間で実行される医用画像データ受信処理を示すシーケンスである。
【００９０】
画像中継サーバ２００では、図６に示すように、ステップＳ２００を経て、受信・生成された画像中継票に基づいて医用画像データが中継サーバ１０４ｄに送信される。
【００９１】
中継サーバ１０４ｄでは、ステップＳ２０２を経て医用画像データを受信すると、ステップＳ２０４を経て、受信した医用画像データが記憶装置に記録される。
【００９２】
また、画像中継サーバ２００では、ステップＳ２３０を経て、院内端末１０２からの取込オーダに応じて、受信・生成された画像中継票に基づいて医用画像データの取込要求が中継サーバ１０４ｄに送信される。医用画像の取込オーダは、院内端末１０２ｄの表示画面において、医療機関Ｄに属する医師等が行う。
【００９３】
中継サーバ１０４ｄでは、ステップＳ２１６を経て、取込要求に応じて医用画像データがＰＡＣＳ１０６ｄに送信される。
【００９４】
ＰＡＣＳ１０６ｄでは、医用画像データを受信すると、受信した医用画像データに基づいて医用画像が表示される。
【００９５】
〔医用画像受信システム１００ｅによる受信〕
次に、医用画像受信システム１００ｅによる受信の動作を説明する。
【００９６】
図７は、画像中継サーバ２００と医用画像受信システム１００ｅとの間で実行される医用画像データ受信処理を示すシーケンスである。
【００９７】
画像中継サーバ２００は、図７に示すように、ステップＳ２４０を経て、院内端末１０２ｅからの表示オーダに応じて、受信・生成された画像中継票に基づいて医用画像データが院内端末１０２ｅに送信される。医用画像の表示オーダは、院内端末１０２ｅの表示画面において、医療機関Ｅに属する医師等が行う。
【００９８】
院内端末１０２ｅでは、医用画像データを受信すると、受信した医用画像データに基づいて医用画像が表示される。
【００９９】
次に、送信目的ごとの表示画面を説明する。
初めに、「他の医療機関への医用画像の送付」を送信目的とする場合である。
【０１００】
図８は、医用画像の送信画面である。
送信側医療機関では、院内端末において、図８に示すような送信画面が表示される。操作手順としては、（１）画像中継票を起票し、（２）送信目的として「画像送信」を選択し、（３）患者ＩＤ等の諸情報を入力し、（４）医用画像を関連づけし、（５）送信要求を行う。送信履歴から医用画像及び画像中継票を参照することができる。
【０１０１】
図９は、医用画像の受信画面である。
受信側医療機関では、院内端末において、図９に示すような受信画面が表示される。操作手順としては、（１）「受信」のタブを選択し、（２）一覧の中から所望の医用画像を選択する。医用画像が選択されると、ＤＩＣＯＭビューワ等により医用画像が表示される。
【０１０２】
次に、「他の医療機関に対する読影依頼」を送信目的とする場合である。
図１０は、読影依頼を行う送信画面である。
【０１０３】
送信側医療機関では、院内端末において、図１０に示すような送信画面が表示される。操作手順としては、（１）画像中継票を起票し、（２）送信目的として「読影依頼」を選択し、（３）患者ＩＤ等の諸情報を入力し、（４）医用画像を関連づけし、（５）送信要求を行う。読影結果が戻ってくると、送信履歴から結果レポートを参照することができる。
【０１０４】
図１１は、読影依頼を受ける受信画面である。
受信側医療機関では、院内端末において、図１１に示すような受信画面が表示される。操作手順としては、（１）「読影依頼（受）」のタブを選択し、（２）一覧の中から所望の読影依頼を選択する。読影依頼が選択されると、ＤＩＣＯＭビューワ等により医用画像が表示される。医師等は、読影を行い、その結果を結果レポートに記入する。
【０１０５】
このようにして、本実施の形態では、多くとも医療機関に中継サーバを設置するだけですみ、また、画像中継票に基づいて医用画像データの流れが制御されるので、従来に比して、各医療機関の医用画像制御システムの構成を大幅に変更することなく、複数の医療機関で医用画像データを比較的容易に交換することができる。
【０１０６】
本実施の形態において、ＰＡＣＳは、発明１の医用画像表示端末に対応し、ＨＩＳは、発明１の院内情報システムに対応し、ステップＳ１００、Ｓ１３０は、発明１の送信先入力手段に対応し、ステップＳ１０２、Ｓ１３２は、発明１の医用画像データ選択手段に対応している。また、ステップＳ１０４、Ｓ１３４は、発明１の画像中継票生成手段に対応し、ステップＳ１０６は、発明１の第１画像中継票送信手段に対応し、ステップＳ１０８は、発明１の第１画像中継票受信手段に対応し、ステップＳ１１０は、発明１の第２画像中継票送信手段に対応している。
【０１０７】
また、本実施の形態において、ステップＳ１１２は、発明１の第２画像中継票受信手段に対応し、ステップＳ１１４は、発明１の第１取得要求送信手段に対応し、ステップＳ１１６は、発明１の医用画像データ取得手段に対応し、ステップＳ１１８は、発明１の第１医用画像データ送信手段に対応している。また、ステップＳ１２０、Ｓ２０２は、発明１の医用画像データ受信手段に対応し、ステップＳ１２２、Ｓ２０４は、発明１の医用画像データ記録手段に対応し、ステップＳ１３６は、発明１の第２取得要求送信手段に対応し、ステップＳ２００は、発明１の第２医用画像データ送信手段に対応している。
【０１０８】
また、本実施の形態において、ステップＳ２０６は、発明１の第３画像中継票送信手段に対応し、ステップＳ２０８は、発明１の第３画像中継票受信手段に対応し、ステップＳ２１０は、発明１の画像中継票取得手段に対応し、ステップＳ２１４は、発明１の第１取込要求送信手段に対応している。また、ステップＳ２１６は、発明１の第３医用画像データ送信手段に対応し、ステップＳ２３０は、発明１の第２取込要求送信手段に対応し、ステップＳ２４０は、発明１の第４医用画像データ送信手段に対応し、医療機関情報は、発明１の中継情報に対応している。
【０１０９】
なお、上記実施の形態においては、患者ＩＤを変換することについて特に説明しなかったが、これに限らず、複数の医療機関の医用画像データを一元管理し、かつ各医療機関の利便性を保つために、患者ＩＤの関連づけを行うこともできる。送信側医療機関に固有の送信元患者ＩＤ、受信側医療機関に固有の送信先患者ＩＤ、医療機関に依存しない共通患者ＩＤを関連づけし、各医療機関では、自医療機関に固有の患者ＩＤで医用画像データにアクセスすることができる。これを実現する方法として、医用画像データに含まれるＤＩＣＯＭインターフェースの患者情報（患者ＩＤ）を送信側中継サーバ及び受信側中継サーバで変換する処理を行う。送信側医療機関では送信元患者ＩＤを、送信側中継サーバから画像中継サーバ２００を経て受信側中継サーバまでは共通患者ＩＤを、受信側医療機関では送信先患者ＩＤを設定する。具体的には、送信側中継サーバは、患者ごとに共通患者ＩＤ及び送信元患者ＩＤを対応づけて記憶する送信側患者ＩＤデータベースを備え、送信側患者ＩＤデータベースに基づいて、ＰＡＣＳから取得した医用画像データに含まれる送信元患者ＩＤを共通患者ＩＤに変換する。受信側中継サーバは、患者ごとに共通患者ＩＤ及び送信先患者ＩＤを対応づけて記憶する受信側患者ＩＤデータベースを備え、受信側患者ＩＤデータベースに基づいて、画像中継サーバ２００から受信した医用画像データに含まれる共通患者ＩＤを送信先患者ＩＤに変換する。
【０１１０】
これにより、各医療機関が利用しやすい固有の患者ＩＤで医用画像データを取り扱うことが可能となり、医用画像データの取り違えなどの医療ミスが発生する可能性を低減することができる。
【０１１１】
なお、図１２に示すように、共通患者ＩＤ又は送信先患者ＩＤの有無に応じて変換処理を行うことができる。
【０１１２】
図１２は、患者ＩＤの変換規則を示す表である。
また、上記実施の形態においては、医療機関Ａ〜Ｄ、Ｆ、ＧにそれぞれＰＡＣＳ１０６ａ〜１０６ｄ、１０６ｆ、１０６ｇを設置したが、これに限らず、データセンタの画像中継サーバ２００にＰＡＣＳを導入することにより、ＰＡＣＳを導入していない医療機関でも医用画像データを受信することが可能となる。この場合、受信側医療機関は、データセンタのＰＡＣＳを利用する形態となる。さらに、データセンタを経由する医用画像データをデータセンタのＰＡＣＳに保存することにより、地域の患者の医用画像データを保存し、災害時などに有効活用することが可能となる。
【０１１３】
この場合、さらに、データセンタのＰＡＣＳに蓄積された医用画像データを有効活用するために、画像閲覧機能を設けることができる。画像閲覧機能は、通常時用と緊急時用がある。通常時用機能は、個人情報保護を優先し、自医療機関が受信又は送信した医用画像データにのみアクセスすることができる。緊急時機能は、災害による医療機関の機能不全や患者の生命に係わるようなケースを想定しており、運用管理者の許可の元でデータセンタのＰＡＣＳに蓄積されたすべての医用画像データにアクセスすることができる。緊急時の医用画像データの閲覧は、アクセスログが取得され、患者名・医療機関名・医療スタッフ名・利用日時等を検索できる機能を提供し、アクセスをトレースできるようにする。
【０１１４】
また、上記実施の形態においては、医用画像データのアクセス制限について特に説明しなかったが、これに限らず、次のようなアクセス制限を設定することもできる。
【０１１５】
（１）当該患者の送信元の医療機関及び送信先の医療機関
（２）医師単位又は医師の所属する医療機関単位
（３）相手医療機関と送受信された医用画像データ
また、上記実施の形態においては、医用画像送信システム１００ａ，１００ｂ，１００ｆが医用画像データの送信機能を、医用画像受信システム１００ｃ〜１００ｅ，１００ｇが医用画像データの受信機能を備えるように構成したが、これに限らず、医用画像送信システム１００ａ，１００ｂ，１００ｆが医用画像データの受信機能も備え、医用画像受信システム１００ｃ〜１００ｅ，１００ｇが医用画像データの送信機能も備えるように構成することもできる。
【符号の説明】
【０１１６】
１００ａ，１００ｂ，１００ｆ…医用画像送信システム、  １００ｃ〜１００ｅ，１００ｇ…医用画像受信システム、  １０２ａ〜１０２ｇ…院内端末、  １０４ａ〜１０４ｄ…中継サーバ、  １０６ａ〜１０６ｄ，１０６ｆ，１０６ｇ…ＰＡＣＳ、  １０８ａ，１０８ｃ…ＨＩＳ、  ２００…画像中継サーバ、  ２０４…共用中継サーバ
【図１】
2014071881.tif 000003
【図３】
2014071881.tif 000004
【図４】
2014071881.tif 000005
【図５】
2014071881.tif 000006
【図６】
2014071881.tif 000007
【図７】
2014071881.tif 000008
【図１２】
2014071881.tif 000009
【図２】
2014071881.tif 000010
【図８】
2014071881.tif 000011
【図９】
2014071881.tif 000012
【図１０】
2014071881.tif 000013
【図１１】
2014071881.tif 000014
【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
医療機関で利用される第１医用画像送信システムを１又は複数と、画像中継サーバと、医療機関で利用される第１医用画像受信システムを１又は複数とを通信可能に接続し、複数の医療機関で医用画像データを交換する医用画像交換システムであって、
前記第１医用画像送信システムは、院内端末、中継サーバ、医用画像表示端末及び院内情報システムを備え、
前記院内情報システムは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票を前記中継サーバに送信する第１画像中継票送信手段とを有し、
前記中継サーバは、前記画像中継票を受信する第１画像中継票受信手段と、前記第１画像中継票受信手段で受信した画像中継票を前記画像中継サーバに送信する第２画像中継票送信手段とを有し、
前記画像中継サーバは、前記画像中継票を受信する第２画像中継票受信手段と、前記第２画像中継票受信手段で受信した画像中継票に基づいて、前記医用画像データの取得要求を前記中継サーバに送信する第１取得要求送信手段とを備え、
前記中継サーバは、さらに、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第１医用画像受信システムは、院内端末、中継サーバ、医用画像表示端末及び院内情報システムを備え、
前記画像中継サーバは、さらに、前記第２画像中継票受信手段で受信した画像中継票に基づいて、前記医用画像データを前記中継サーバに送信する第２医用画像データ送信手段を備え、
前記中継サーバは、前記画像中継サーバにおける前記医用画像データベース、前記医用画像データ受信手段及び前記医用画像データ記録手段と同一の手段を有し、
前記画像中継サーバは、さらに、前記第２画像中継票受信手段で受信した画像中継票に基づいて、当該画像中継票を前記中継サーバに送信する第３画像中継票送信手段を備え、
前記中継サーバは、さらに、前記画像中継票を受信する第３画像中継票受信手段を有し、
前記院内情報システムは、前記院内端末からの要求に応じて、前記画像中継票を前記中継サーバから取得する画像中継票取得手段と、前記院内端末からの要求に応じて、前記画像中継票取得手段で取得した画像中継票に基づいて、前記医用画像データの取込要求を前記中継サーバに送信する第１取込要求送信手段とを有し、
前記中継サーバは、さらに、前記取込要求に応じて、前記医用画像データベースの医用画像データを前記医用画像表示端末に送信する第３医用画像データ送信手段を有することを特徴とする医用画像交換システム。
【請求項２】
医療機関で利用される第１医用画像送信システムを１又は複数と、画像中継サーバと、医療機関で利用される第２医用画像受信システムを１又は複数とを通信可能に接続し、複数の医療機関で医用画像データを交換する医用画像交換システムであって、
前記第１医用画像送信システムは、院内端末、中継サーバ、医用画像表示端末及び院内情報システムを備え、
前記院内情報システムは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票を前記中継サーバに送信する第１画像中継票送信手段とを有し、
前記中継サーバは、前記画像中継票を受信する第１画像中継票受信手段と、前記第１画像中継票受信手段で受信した画像中継票を前記画像中継サーバに送信する第２画像中継票送信手段とを有し、
前記画像中継サーバは、前記画像中継票を受信する第２画像中継票受信手段と、前記第２画像中継票受信手段で受信した画像中継票に基づいて、前記医用画像データの取得要求を前記中継サーバに送信する第１取得要求送信手段とを備え、
前記中継サーバは、さらに、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第２医用画像受信システムは、院内端末、中継サーバ及び医用画像表示端末を備え、
前記画像中継サーバは、さらに、前記第２画像中継票受信手段で受信した画像中継票に基づいて、前記医用画像データを前記中継サーバに送信する第２医用画像データ送信手段を備え、
前記中継サーバは、前記画像中継サーバにおける前記医用画像データベース、前記医用画像データ受信手段及び前記医用画像データ記録手段と同一の手段と、前記医用画像データの取込要求に応じて、前記医用画像データベースの医用画像データを前記医用画像表示端末に送信する第３医用画像データ送信手段とを有し、
前記画像中継サーバは、さらに、前記院内端末からの要求に応じて、前記第２画像中継票受信手段で受信した画像中継票に基づいて、前記取込要求を前記中継サーバに送信する第２取込要求送信手段を備えることを特徴とする医用画像交換システム。
【請求項３】
医療機関で利用される第１医用画像送信システムを１又は複数と、画像中継サーバと、医療機関で利用される第３医用画像受信システムを１又は複数とを通信可能に接続し、複数の医療機関で医用画像データを交換する医用画像交換システムであって、
前記第１医用画像送信システムは、院内端末、中継サーバ、医用画像表示端末及び院内情報システムを備え、
前記院内情報システムは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票を前記中継サーバに送信する第１画像中継票送信手段とを有し、
前記中継サーバは、前記画像中継票を受信する第１画像中継票受信手段と、前記第１画像中継票受信手段で受信した画像中継票を前記画像中継サーバに送信する第２画像中継票送信手段とを有し、
前記画像中継サーバは、前記画像中継票を受信する第２画像中継票受信手段と、前記第２画像中継票受信手段で受信した画像中継票に基づいて、前記医用画像データの取得要求を前記中継サーバに送信する第１取得要求送信手段とを備え、
前記中継サーバは、さらに、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第３医用画像受信システムは、院内端末を備え、
前記画像中継サーバは、さらに、前記院内端末からの要求に応じて、前記第２画像中継票受信手段で受信した画像中継票に基づいて、前記医用画像データベースの医用画像データを前記院内端末に送信する第４医用画像データ送信手段を備えることを特徴とする医用画像交換システム。
【請求項４】
医療機関で利用される第２医用画像送信システムを１又は複数と、画像中継サーバと、医療機関で利用される第１医用画像受信システムを１又は複数とを通信可能に接続し、複数の医療機関で医用画像データを交換する医用画像交換システムであって、
前記第２医用画像送信システムは、院内端末、中継サーバ及び医用画像表示端末を備え、
前記画像中継サーバは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票に基づいて、前記医用画像データの取得要求を前記中継サーバに送信する第２取得要求送信手段とを備え、
前記中継サーバは、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第１医用画像受信システムは、院内端末、中継サーバ、医用画像表示端末及び院内情報システムを備え、
前記画像中継サーバは、さらに、前記画像中継票生成手段で生成した画像中継票に基づいて、前記医用画像データを前記中継サーバに送信する第２医用画像データ送信手段を備え、
前記中継サーバは、前記画像中継サーバにおける前記医用画像データベース、前記医用画像データ受信手段及び前記医用画像データ記録手段と同一の手段を有し、
前記画像中継サーバは、さらに、前記画像中継票生成手段で生成した画像中継票に基づいて、当該画像中継票を前記中継サーバに送信する第３画像中継票送信手段を備え、
前記中継サーバは、さらに、前記画像中継票を受信する第３画像中継票受信手段を有し、
前記院内情報システムは、前記院内端末からの要求に応じて、前記画像中継票を前記中継サーバから取得する画像中継票取得手段と、前記院内端末からの要求に応じて、前記画像中継票取得手段で取得した画像中継票に基づいて、前記医用画像データの取込要求を前記中継サーバに送信する第１取込要求送信手段とを有し、
前記中継サーバは、さらに、前記取込要求に応じて、前記医用画像データベースの医用画像データを前記医用画像表示端末に送信する第３医用画像データ送信手段を有することを特徴とする医用画像交換システム。
【請求項５】
医療機関で利用される第２医用画像送信システムを１又は複数と、画像中継サーバと、医療機関で利用される第２医用画像受信システムを１又は複数とを通信可能に接続し、複数の医療機関で医用画像データを交換する医用画像交換システムであって、
前記第２医用画像送信システムは、院内端末、中継サーバ及び医用画像表示端末を備え、
前記画像中継サーバは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票に基づいて、前記医用画像データの取得要求を前記中継サーバに送信する第２取得要求送信手段とを備え、
前記中継サーバは、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第２医用画像受信システムは、院内端末、中継サーバ及び医用画像表示端末を備え、
前記画像中継サーバは、さらに、前記画像中継票生成手段で生成した画像中継票に基づいて、前記医用画像データを前記中継サーバに送信する第２医用画像データ送信手段を備え、
前記中継サーバは、前記画像中継サーバにおける前記医用画像データベース、前記医用画像データ受信手段及び前記医用画像データ記録手段と同一の手段と、前記医用画像データの取込要求に応じて、前記医用画像データベースの医用画像データを前記医用画像表示端末に送信する第３医用画像データ送信手段とを有し、
前記画像中継サーバは、さらに、前記院内端末からの要求に応じて、前記画像中継票生成手段で生成した画像中継票に基づいて、前記取込要求を前記中継サーバに送信する第２取込要求送信手段を備えることを特徴とする医用画像交換システム。
【請求項６】
医療機関で利用される第２医用画像送信システムを１又は複数と、画像中継サーバと、医療機関で利用される第３医用画像受信システムを１又は複数とを通信可能に接続し、複数の医療機関で医用画像データを交換する医用画像交換システムであって、
前記第２医用画像送信システムは、院内端末、中継サーバ及び医用画像表示端末を備え、
前記画像中継サーバは、前記院内端末からの要求に応じて、前記医用画像表示端末が有する医用画像データの送信先を入力する送信先入力手段と、前記院内端末からの要求に応じて、前記医用画像表示端末が有する医用画像データの中からいずれかを選択する医用画像データ選択手段と、前記送信先入力手段で入力した送信先に関する中継情報及び前記医用画像データ選択手段で選択した医用画像データを識別するための画像識別情報を含む画像中継票を生成する画像中継票生成手段と、前記画像中継票生成手段で生成した画像中継票に基づいて、前記医用画像データの取得要求を前記中継サーバに送信する第２取得要求送信手段とを備え、
前記中継サーバは、前記取得要求に応じて、前記医用画像データを前記医用画像表示端末から取得する医用画像データ取得手段と、前記医用画像データ取得手段で取得した医用画像データを前記画像中継サーバに送信する第１医用画像データ送信手段とを有し、
前記画像中継サーバは、さらに、医用画像データベースと、前記医用画像データを受信する医用画像データ受信手段と、前記医用画像データ受信手段で受信した医用画像データを前記医用画像データベースに記録する医用画像データ記録手段とを備え、
前記第３医用画像受信システムは、院内端末を備え、
前記画像中継サーバは、さらに、前記院内端末からの要求に応じて、前記画像中継票生成手段で生成した画像中継票に基づいて、前記医用画像データベースの医用画像データを前記院内端末に送信する第４医用画像データ送信手段を備えることを特徴とする医用画像交換システム。
【請求項７】
請求項１乃至６のいずれか１項に記載の医用画像交換システムにおける前記画像中継サーバであることを特徴とする画像中継サーバ。
【請求項８】
請求項１乃至３のいずれか１項に記載の医用画像交換システムにおける前記第１医用画像送信システムであることを特徴とする医用画像送信システム。
【請求項９】
請求項４乃至６のいずれか１項に記載の医用画像交換システムにおける前記第２医用画像送信システムであることを特徴とする医用画像送信システム。
【請求項１０】
請求項１及び４のいずれか１項に記載の医用画像交換システムにおける前記第１医用画像受信システムであることを特徴とする医用画像受信システム。
【請求項１１】
請求項２及び５のいずれか１項に記載の医用画像交換システムにおける前記第２医用画像受信システムであることを特徴とする医用画像受信システム。
【請求項１２】
請求項３及び６のいずれか１項に記載の医用画像交換システムにおける前記第３医用画像受信システムであることを特徴とする医用画像受信システム。
【手続補正３】
【補正対象書類名】明細書
【補正対象項目名】０００１
【補正方法】変更
【補正の内容】
【０００１】
本発明は、複数の医療機関で医用画像データを交換するシステム及びサーバに係り、特に、各医療機関の医用画像制御システムの構成を大幅に変更することなく、複数の医療機関で医用画像データを容易に交換することができる医用画像交換システム、画像中継サーバ、医用画像送信システム及び医用画像受信システムに関する。
【手続補正４】
【補正対象書類名】明細書
【補正対象項目名】０００６
【補正方法】変更
【補正の内容】
【０００６】
そこで、本発明は、このような従来の技術の有する未解決の課題に着目してなされたものであって、各医療機関の医用画像制御システムの構成を大幅に変更することなく、複数の医療機関で医用画像データを容易に交換することができる医用画像交換システム、画像中継サーバ、医用画像送信システム及び医用画像受信システムを提供することを目的としている。
【手続補正５】
【補正対象書類名】明細書
【補正対象項目名】００３２
【補正方法】変更
【補正の内容】
【００３２】
画像中継サーバでは、第４医用画像データ送信手段により、院内端末からの要求に応じて、受信・生成された画像中継票に基づいて、医用画像データベースに記録されている医用画像データが院内端末に送信される。